(57)【要約】【課題】バルブモードにて撮影が必要な夜景などの暗いシーンであったとしても、煩わしい操作の必要がなく動画撮影を行う事を可能にする撮像装置を提供すること。【解決手段】静止画撮影と動画撮影が可能な撮像装置において、動画撮影の開始を指示する動画撮影指示手段（２０４ｃ）と、動画撮影指示手段によって動画撮影開始を指示された場合に、第１のフレームレートで撮像素子を駆動して得られた画像データを記録する第１動画記録モードと、第１動画記録手段よりも低いフレームレートで撮像素子を駆動して得られた画像データを記録する第２動画記録モードと、被写体輝度を測定する被写体輝度測定手段（１５または２２・３９）とを備え、被写体輝度測定手段の測定結果に応じて、前記第１動画記録手段または第２動画記録手段の何れか一方を選択して動画記録を行う制御手段（３９）とを備えた事を特徴とする構成とした。【選択図】  図３
2012090217.tif 000002
【特許請求の範囲】
【請求項１】
静止画撮影と動画撮影が可能な撮像装置において、
動画撮影の開始を指示する動画撮影指示手段（２０４ｃ）と、
動画撮影指示手段によって動画撮影開始を指示された場合に、第１のフレームレートで撮像素子を駆動して得られた画像データを記録する第１動画記録モードと、
第１動画記録手段よりも低いフレームレートで撮像素子を駆動して得られた画像データを記録する第２動画記録モードと、
被写体輝度を測定する被写体輝度測定手段（１５または２２・３９）とを備え、
被写体輝度測定手段の測定結果に応じて、前記第１動画記録手段または第２動画記録手段の何れか一方を選択して動画記録を行う制御手段（３９）とを備えた事を特徴とする撮像装置。
【請求項２】
バルブモードの設定が可能なバルブモード設定手段（２０２）とを有し、
バルブモード設定手段にてバルブモードが設定された時に、被写体輝度に応じて被写体輝度測定手段の測定結果に応じて、前記第１動画記録モードまたは第２動画記録モードの何れか一方を選択して動画記録を行う制御手段（３９）とを備えた事を特徴とする請求項１に記載の撮像装置。
【請求項３】
被写体輝度測定手段の測定結果、シャッター速度が所定値より速いと判断された場合は、前記第１動画記録手段にて動画記録を行い、被写体輝度測定手段の測定結果、シャッター速度が所定値よりも遅いと判断された場合は、前記代２動画記録手段にて動画記録を行う制御手段（３９）とを備えた事を特徴とする請求項１または請求項２に記載の撮像装置。
【発明の詳細な説明】
【技術分野】
【０００１】
本発明は、電子スチルカメラ等の撮像装置に関し、特に静止画撮影と動画撮影が可能な撮像装置に関するものである。
【背景技術】
【０００２】
従来、画像圧縮技術やプロセッサなどの性能向上により、動画撮影機能を有するデジタルカメラや、静止画撮影機能を有するビデオカメラがすでに商品化されている。
【０００３】
そして、これら商品化されているデジタルカメラの中には、静止画撮影指示釦が操作されると撮影モードに応じて設定された露出制御パラメータ（シャッター速度・絞り値・撮影感度のこと）で静止画撮影を行う。また、動画撮影指示釦が操作された時には、どの撮影モードにおいても動画撮影に適した露出制御パラメータにてプログラム撮影（予め定められたプログラム線図に従って、カメラが自動でシャッター速度や絞り値を設定して撮影を行う）が行われるデジタルカメラが商品化されている。
【０００４】
例えば、特許文献１では、撮影モードにて設定された露出制御パラメータで静止画撮影及び動画撮影を行う撮像装置が開示されている。
【０００５】
このように、静止画撮影指示釦が操作されれば、すぐに静止画撮影が行われ、動画撮影指示釦が操作されれば、すぐに動画撮影が行われるので、静止画撮影モードと動画撮影モードの切り換えなど煩わしい操作が不要となる。
【０００６】
また、すでに商品化されているデジタルビデオカメラの中には、いわゆるナイトモードやローライトモードと呼ばれる暗所撮影モードが備わっている。
【０００７】
ナイトモードやローライトモードについて、もう少し具体的に説明する。通常、動画像を表示・記録する場合には、より高精細な時間方向の解像力を得るために、最低でも２４コマ〜３０コマ／秒程度のフレームレートを確保する必要がある。このフレームレート維持するために、暗い場所であっても１／２４ｓ〜１／３０ｓまでしかシャッター速度を遅くしないように制御している。
【０００８】
一方、暗所撮影モードが選択された時には、例えばフレームレートを落としてでもシャッター速度（例えば１／２ｓまでシャッター速度を遅くするデジタルビデオカメラもある）を遅くして撮影する制御を行う（当然フレームレートが落ちるので、滑らかな映像ではなくなる）。このような制御を行う事で、暗い場所でも撮影を行うことを可能とするデジタルビデオカメラがすでに商品化されている。
【先行技術文献】
【特許文献】
【０００９】
【特許文献１】特願２００９−１１９８１２号公報
【発明の概要】
【発明が解決しようとする課題】
【００１０】
上述したすでに商品化されているデジタルカメラの場合、バルブモード設定されている時に、動画撮影指示釦が操作させると動画用のプログラム露出制御にて、撮影が行われえる。つまり、上述した２４コマ〜３０コマ／秒程度のフレームレートで動画撮影を行うので、シャッター秒時を１／３０ｓまでしか遅くしないため、暗い場所では撮影する事が出来ないという問題が発生する。特にバルブモードが選択されているという事は、夜景などの暗いシーンである場合が多いので、失敗した動画撮影が行われてしまう。また、特許文献１においても、バルブモード時の動画撮影は記載されていない。
【００１１】
この問題を回避する方法として、ナイトモードやローライトモードと呼ばれる暗所撮影モードに切り換えて動画撮影を行う方法もあるが、モードを切り換えるという煩わしい操作が必要となり、シャッターチャンスを逃してしまうという問題が発生する。
【００１２】
そこで、本発明の目的は、撮影モードがバルブモードにて撮影が必要な夜景などの暗いシーンであったとしても、煩わしい操作の必要がなく動画撮影を行う事を可能にする撮像装置を提供することである。
【課題を解決するための手段】
【００１３】
上記目的を達成するために、本発明は、静止画撮影と動画撮影が可能な撮像装置において、動画撮影の開始を指示する動画撮影指示手段と、動画撮影指示手段によって動画撮影開始を指示された場合に、第１のフレームレートで撮像素子を駆動して得られた画像データを記録する第１動画記録モードと、
第１動画記録手段よりも低いフレームレートで撮像素子を駆動して得られた画像データを記録する第２動画記録モードと、
被写体輝度を測定する被写体輝度測定手段とを備え、被写体輝度測定手段の測定結果に応じて、前記第１動画記録手段または第２動画記録手段の何れか一方を選択して動画記録を行う制御手段とを備えた事を特徴とする。
【発明の効果】
【００１４】
本発明によれば、撮影モードがバルブモードにて撮影が必要な夜景などの暗いシーンであっても、煩わしい操作の必要が無く適正露光にて動画撮影が可能な撮像装置を提供することができる。
【図面の簡単な説明】
【００１５】
【図１】本発明の実施の形態に係る撮像装置のブロック図である。
【図２】本発明の実施の形態に係る撮像装置の外観図である。
【図３】本発明の実施の形態に係るバルブモード時の動画撮影動作のフローチャートである。
【発明を実施するための形態】
【００１６】
以下に、本発明の好ましい実施の形態を、添付の図面に基づいて詳細に説明する。
【００１７】
図１は、本発明の実施形態に係る撮像装置のブロック図である。
【００１８】
１００は交換可能な撮影レンズを搭載するレンズユニットであり、２００は撮像装置本体を表している。
【００１９】
レンズ５は通常、複数枚のレンズから構成されるが、ここでは簡略して一枚のレンズのみで示している。６はレンズユニット１００が撮像装置本体２００側と通信を行う為の通信端子であり、１０は撮像装置本体２００がレンズユニット１００側と通信を行う為の通信端子である。レンズユニット１００は、この通信端子６，１０を介してマイクロコンピュータ３９（制御手段に相当する）と通信し、内部のレンズシステム制御回路４によって絞り駆動回路２を介して絞り１の制御を行い、ＡＦ駆動回路３を介して、レンズ５の位置を移動させることで焦点を合わせる。
【００２０】
１５はＡＥセンサーであり、レンズユニット１００を通した被写体の輝度（以下、被写体輝度とする）を測定する。なお、ＡＥセンサー１５が被写界輝度測定手段に相当する。
１１はＡＦセンサーであり、マイクロコンピュータ３９にデフォーカス量情報を出力し、マイクロコンピュータ３９はＡＦセンサー１１から出力されたデフォーカス量情報に基づいてレンズユニット１００を制御する。
【００２１】
１２はクイックリターンミラーであり、マイクロコンピュータ３９からの指示を受けて不図示のアクチュエータによりアップダウンされる。１３はフォーカシングスクリーンであり、ユーザーはペンタプリズム１４とファインダー１６を介してフォーカシングスクリーン１３を観察することで、レンズユニット１００を通して得た被写体の光学像の焦点や構図の確認が可能となる。
【００２２】
１７はフォーカルプレーンシャッターであり、マイクロコンピュータ３９の制御で撮像素子２０の露光時間を自由に制御できる。１８は光学フィルターであり、一般的にローパスフィルターなどから構成され、フォーカルプレーンシャッター１７より入ってくる光の高周波成分をカットして、撮像素子２０に被写体像を導光する。
【００２３】
撮像素子２０は、一般的にＣＣＤやＣＭＯＳ等の撮像素子が用いられ、レンズユニット１００を通して撮像素子２０上に結像された被写体像を光電変換して電気信号として取り込む。２１はＡＭＰ回路であり、撮像素子２０により取り込まれた電気信号に対して、設定されている撮影感度に応じたゲインで増幅する。２２はＡ／Ｄ変換回路であり、撮像素子２０によって電気信号に変換されたアナログ信号をデジタル信号に変換する。
【００２４】
２３は画像処理回路であり、Ａ／Ｄ変換回路２２によってデジタル信号に変換された撮像素子２０の出力に基づく画像データに対して、フィルター処理、色変換処理、ガンマー／ニー処理を行い、メモリーコントローラ２７に出力する。また、画像処理回路２３は、Ｄ／Ａ変換回路も内蔵している。そのため、Ａ／Ｄ変換回路２２によってデジタル信号に変換された画像データやメモリーコントローラ２７により入力される画像データをアナログ信号に変換して液晶駆動回路２４を介して液晶表示部２５に出力することも可能である。これらの画像処理回路２３による画像処理及び表示処理は、マイクロコンピュータ３９により切り替えられる。また、液晶表示部２５は、撮像素子２０上に結像された被写体像に基づく画像を逐次表示するライブビュー表示が可能である。また、マイクロコンピュータ３９は、撮影画像のカラーバランス情報をもとにホワイトバランス調整を行う。さらに、マイクロコンピュータ３９は、Ａ／Ｄ変換回路２２によってデジタル信号に変換された撮像素子２０の出力に基づく画像データを用いて、撮像された被写体の輝度情報を求める。
【００２５】
メモリーコントローラ２７は、画像処理回路２３から入力された未処理の画像データをバッファメモリー２６に格納したり、或いは画像処理済みの画像データをメモリー２８に格納したりする。また、メモリーコントローラ２７は、バッファメモリー２６やメモリー２８から画像データを取り込んで画像処理回路２３に出力したりもする。また、メモリーコントローラ２７は、外部インタフェース２９を介して送られてくる画像データをメモリー２８に格納したり、逆にメモリー２８に格納されている画像データを外部インタフェース２９を介して外部に出力することも可能である。また、メモリー２８は、着脱可能な様態でもよく、図１では、着脱可能な場合のメモリーとして図示している。具体的には、コンパクトフラッシュ（登録商標）を用いることができる。
【００２６】
３２はタイミング制御回路であり、この回路を介してマイクロコンピュータ３９は、撮像素子２０の駆動タイミングを制御する。３５は電源制御回路であり、電力はＡＣ電源部３０、もしくは２次電池部３１より供給され、マイクロコンピュータ３９からの指示を受けて電源のオン／オフを行う。また、電源制御回路３５は、電源状態検知回路３４により検知された現在の電源状態の情報や電源種類検知回路３３により検知された現在の電源の種類の情報をマイクロコンピュータ３９に通知することも行う。３６はシャッター制御回路であり、この回路を介してマイクロコンピュータ３９はフォーカルプレーンシャッター１７を制御する。３７は光学フィルター振動制御回路であり、光学フィルター１８に接続されている圧電素子１９を振動させる回路である。振動の振幅、振動時間、振動の軸方向をそれぞれ所定の値で圧電素子を振動させるように、マイクロコンピュータ３９の指示に従い振動させる。
【００２７】
３８は、不揮発性メモリー（ＥＥＰＲＯＭ）で、ユーザーが任意に設定したシャッター速度、絞り値、撮影感度などの露出制御値やデータをカメラに電源が入れられていない状態でも、保存することができる。
【００２８】
図２は、レンズユニット１００及び撮像装置本体２００の外観図であり、図２（ａ）は正面外観図、図２（ｂ）は背面外観図である。なお、図２において、図１と共通する部分は、同じ記号で示している。
【００２９】
２０１はレリーズ釦であり、半押しされることで、被写体輝度の測定を行う測光動作や被写体に対して合焦を行う合焦動作の開始を指示する。また、レリーズ釦２０１（静止画撮影指示釦）が全押しされることで静止画撮影の開始を指示し、画像の撮影が行われる。
２０２は撮像装置の撮影モードの設定を行う為のモードダイヤル（バルブモード設定手段に相当する）である。ユーザーは、このモードダイヤル２０２を操作することで、スポーツモード、風景モードなどの撮影モードの設定を行う。また、その他の撮影モードとして、撮影時のシャッター速度、絞り値をユーザーが設定可能なマニュアルモード、ユーザーが設定したシャッター速度を維持して自動的に露出制御を行うＴｖ優先モードなども設定できる。さらに、レリーズ釦２０１を半押ししている間は、フォーカルプレーンシャッター１７を開けたまま（つまり、撮像素子２０へ露光を続ける）にしておく制御を行う所謂バルブモードを備えている。
【００３０】
２０３は電子ダイヤルである。ユーザーは、この電子ダイヤル２０３を操作することでシャッター速度や絞り値などの露出制御値の設定を行う。
【００３１】
２０４は十字キー及び設定釦である。ユーザーが液晶表示部２５に表示されている設定内容、あるいはサムネイル画像などの選択を行う際に、２０４ａが押下されることにより左右方向に選択範囲が移動し、２０４ｂが押下されることにより上下方向に選択範囲が移動する。また、選択された箇所で２０４ｃが押下されることにより選択した内容を設定する。また、設定釦２０４ｃは、動画撮影の開始および停止を指示する動画撮影指示釦（動画撮影指示手段に相当する）としても機能する。２０５は電源スイッチである。ユーザーは電源スイッチを回すことで電源のオン／オフを行う。
【００３２】
２０６は各種設定を行うためのスイッチ群である。これらのスイッチ群には、カメラ内外の記録媒体に保存されている画像を液晶表示部２５に表示させる再生指示釦や、各種設定画面を液晶表示部２５に表示させるための設定画面表示指示釦などがある。ユーザーはこれらのスイッチを押下することにより、各種設定を行うの設定画面を表示させたり、撮影画像の確認を行うことなどが可能となる。
【００３３】
２０７はライブビュー動作の開始を指示するライブビュー指示釦である。ユーザーによりこの釦が押下されると、撮像装置はライブビュー状態に遷移し、ライブビュー画像を液晶表示部２５に表示させる。
【００３４】
以下、図３を参照して、本実施の形態における撮像装置のバルブモード時の動画撮影動作のフローチャートについて説明する。
【００３５】
まずステップＳ１０１で、マイクロコンピュータ３９は、動画撮影の開始を指示する動画撮影指示釦としての設定釦２０４ｃが押下されたか否かの判定を行い、押下されたならステップＳ１０２へ移行し、押下されなかったならステップＳ１０１の動作を繰り返す。
ステップＳ１０２で、マイクロコンピュータ３９は、ＡＥセンサー１５より、被写界輝度情報を取得する。そして、取得した被写界輝度情報と、ユーザーにより予めマニュアル設定された絞り値、ユーザーによりマニュアル設定された、あるいはマイクロコンピュータ３９により自動設定された撮影感度とから所定の演算を行い、適正なシャッター速度を算出してステップＳ１０３へ移行する。
【００３６】
ステップＳ１０３で、マイクロコンピュータ３９はステップＳ１０２にて算出されたシャッター速度が１／３０ｓより速いか遅いかの判断を行う。１／３０ｓより速いと判断された時には、ステップＳ１０４へ移行して、動画撮影プログラムモード（第１動画記録モードに相当する）が設定される。つまり、フレームレートは通常の３０コマ／ｓ以上となるので、滑らかな動画撮影が可能となる。
【００３７】
一方、ステップＳ１０３にて１／３０ｓよりのシャッター速度が遅いと判断された時には、ステップＳ１０５へ移行して暗所撮影プログラムモード（第２動画記録モードに相当する）が設定される。つまり、シャッター速度に応じてフレームレートを落とした撮影が行われる。このようにフレームレートを落とす事で、遅いシャッター速度での撮影が可能となるので、例えば夜景撮影など暗いシーンでも適正な露光量での動画撮影が可能となる。
【００３８】
ステップＳ１０４・ステップＳ１０５の処理が完了するとステップＳ１０６へ移行する。
【００３９】
ステップＳ１０６では、マイクロコンピュータ３９からの指示を受けて、不図示のアクチュエータによりクイックリターンミラー１２をアップさせる。
【００４０】
ステップＳ１０７では、ユーザーによりマニュアル設定された絞り値を、マイクロコンピュータ３９より通信端子６，１０を介してレンズシステム制御回路４へ送信する。そして、レンズシステム制御回路４は送信された絞り値に基づいて絞り駆動回路２を介して絞り１を制御する。
【００４１】
ステップＳ１０８では、マイクロコンピュータ３９からの指示を受けて、フォーカルプレーンシャッター１７を開放させ、撮像素子２０の露光を開始させる。
【００４２】
ステップＳ１０９では、ステップＳ１０２にて算出されたシャッター速度に基づいて、マイクロコンピュータ３９によりタイミング制御回路３２を介して、撮像素子２０の駆動タイミングを制御する。また、ＡＭＰ回路２１により、ユーザーによりマニュアル設定された、あるいはマイクロコンピュータ３９により自動設定された撮影感度に応じたゲインで撮影信号を増幅し、Ａ／Ｄ変換回路２２を介してデジタル信号に変換する。そして、デジタル信号に変換された画像データを画像処理回路２３を介してバッファメモリー２６に取り込む。その後、メモリー２８に記録を行う。
【００４３】
ステップＳ１１０では、バッファメモリー２６に取り込まれた画像データをメモリーコントローラ２７を介してアナログ信号に変換し、変換したアナログ信号を液晶駆動回路２４を介して液晶表示部２５に出力する。
【００４４】
ステップＳ１１１では、マイクロコンピュータ３９は、動画撮影中か否かを判定し（つまり、再度、動画撮影指示釦としての設定釦２０４ｃが押されたかを判定する）動画撮影中であればステップＳ１０９に戻り、動画撮影中でなければ一連の動画撮影処理を終了する。
【００４５】
なお、ステップＳ１０９〜ステップＳ１１１の動作を設定されたフレームレートに合わせた時間間隔で繰り返す事になる。
【００４６】
以上説明したように、バルブモードが設定されたとしても、動画撮影指示釦を押すことで素早く動画撮影を開始することが出来るので、動画撮影のシャッターチャンスを逃すという問題を回避できる。
【００４７】
また、被写界輝度に応じて動画プログラムと暗所撮影プログラムとを使い分けるので、どのようなシーンでも適正は露出での撮影が可能となる。
【００４８】
また、本実施形態では被写体輝度を測定する被写体輝度測定手段としてＡＥセンサー１５を用いたが、マイクロコンピュータ３９により、Ａ／Ｄ変換回路２２によってデジタル信号に変換された撮像素子２０の出力に基づく画像データを用いて、撮像された被写体の輝度情報を求めても良い。この場合、マイクロコンピュータ３９とＡ／Ｄ変換回路２２とで、被写体輝度測定手段を構成している。
【００４９】
以上、本発明の好ましい実施形態について説明したが、本発明はこれらの実施形態に限定されず、その要旨の範囲内で種々の変形及び変更が可能である。
【符号の説明】
【００５０】
１５  ＡＥセンサー
２０  撮像素子
２１  ＡＭＰ回路
２２  Ａ／Ｄ変換回路
２３  画像処理回路
３９  マイクロコンピュータ
２０２  モードダイヤル
２０４ｃ  動画撮影指示釦
【図１】
2012090217.tif 000003
【図２】
2012090217.tif 000004
【図３】
2012090217.tif 000005